(57)【特許請求の範囲】
【請求項１】
窓枠（３）・障子（２）間に設けられた弾機を用いた蹴り出し装置により迅速に障子（２）が開かれ、窓枠（３）および障子（２）に設けられた滑車と連繋するワイヤロープ（４）がハンドル（５）によってワイヤロープ巻取機（６）に巻き取られることにより障子（２）が閉鎖され、前記ワイヤロープ巻取機（６）の押しボタン（７）を押すことにより前記ワイヤロープ（４）が巻取り解除されて障子（２）が開放される窓開閉装置において、
障子（２）の開放側框外周面に、障子滑車（８）と、傾斜部（９）をもつとともに引張りバネ（１０）を有する首振り係止フック（１１）とが設けられ、
首振り係止フック（１１）は、当該首振り係止フック（１１）の引張りバネ（１０）によって元の位置に戻るように付勢され、
この首振り係止フック（１１）と対向する枠側位置に、ストッパ（１３）付のプレート（１４）と、引張りバネ（１０）と、回動プレート（１６）と、回動プレート（１６）上に設けられていて回転可能なローラ（１７）を有するロック軸（１８）と、回動プレート（１６）上に設けられた枠滑車（１９）とによって構成される枠滑車ユニット（１２）が設けられ、
回動プレート（１６）は、ストッパ（１３）付のプレート（１４）上において回動軸（１５）を中心に回動するようになっていて、枠滑車ユニット（１２）の引張りバネ（１０）によってストッパ（１３）から離れる方向に回動するように付勢され、
それぞれの滑車間にワイヤロープ（４）が張設されてこのワイヤロープ端部がワイヤロープ巻取機（６）に巻き取られることより障子（２）が閉鎖されるように構成され、
前記ワイヤロープ（４）がワイヤロープ巻取機（６）に巻き取られることにより、枠滑車ユニット（１２）の回動プレート（１６）が回動してストッパ（１３）付のプレート（１４）のストッパ（１３）に当接して停止し、さらにワイヤロープ（４）が巻き取られてゆくと首振り係止フック（１１）が次第に枠（３）側に近づいて、前記首振り係止フック（１１）の傾斜部（９）が前記ロック軸（１８）に当接して次第に首振りされ、全閉時に首振り係止フック（１１）が当該首振り係止フック（１１）の引張りバネ（１０）によって元の位置に戻って障子（２）はロックされ、
前記ワイヤロープ捲取機（６）の押しボタン（７）を押すことにより、ワイヤロープ捲取機（６）でのワイヤロープ（４）の巻取りが解除されて前記ワイヤロープ（４）が弛み、前記蹴り出し装置の開放力と、枠滑車ユニット（１２）の引張りバネ（１０）による前記回動プレート（１６）の回動とによって前記首振り係止フック（１１）が前記ロック軸（１８）からはずれて障子（２）が開放されることを特徴とする窓開閉装置の閉窓ロック装置。
【請求項２】
前記首振り係止フック（１１）に首振り位置調整手段（２０）が設けられていることを特徴とする請求項１記載の窓開閉装置の閉窓ロック装置。
【発明の詳細な説明】
【技術分野】
【０００１】
本発明は滑車とワイヤロープ（以後ワイヤと称する）とを用い、ウインチ手段によりワイヤを捲き取りながら閉窓し、反面ワイヤを巻き戻すことにより開窓する窓開閉装置の保安機構に関するものである。
【背景技術】
【０００２】
ワイヤ式窓開閉装置が設けられた窓はワイヤが捲取機に次第に捲き取られて障子が窓枠に当接し、捲取機内のワイヤ逆転防止機構が働いて窓閉鎖が完了するが、全閉状態であってもワイヤに絶えず負荷が掛かった状態での全閉であるため、長期間その状態が続くとワイヤは伸びて窓と障子との間に隙間ができたり、ワイヤが疲弊してその寿命が短くなる。
【０００３】
また閉鎖時に突風、爆風、逆風などの急激な衝撃が偶発して窓を直撃した場合には更にワイヤに余分な負荷が掛かるためワイヤ破断等の危険性があり、悪条件が重なれば窓やその周辺の破損事故につながる危険性を有していた。そのため閉鎖時には別のロック装置が設けられて窓の安全が図られていた。
【０００４】
しかしながら別のロック装置は開窓操作とは異なる作業のため今度はロック装置解除のために開窓操作が手間取ることになり、迅速性を要する排煙装置などへの使用には問題があった。これらの問題点の解決策としてラッチと突片を用いる方法（特許文献１参照）や突起と鉤を用いる方法（特許文献２参照）等が開発され、ロック解除と開窓操作が一本化されてきていた。
【０００５】
【特許文献１】実公平６−３１０９７号公報
【特許文献２】実公平６−４３４２３号公報
【発明の開示】
【発明が解決しようとする課題】
【０００６】
両者はどちらも障子閉鎖時のワイヤ引張力に抗する方向にバネを付勢せしめて係合施錠するように構成し、ワイヤが弛むことによりバネの付勢力を利用して開錠容易を図ったものである。
【０００７】
原理的には両者ともすぐれているが特許文献１のものは施錠装置の一方である梃子の移動が窓枠の長手方向と交差する方向への移動であるためスペース的に取付位置が限定されるという不都合があり、特許文献２の場合の構成においては開窓時における障子の蹴り出し強さが大きくなる構成、即ち障子重量が重く、開窓時にそれが自重として掛かる場合とか開窓方向に付勢する付勢具の強さが強い場合は閉窓時にまず引張りコイルバネの付勢力よりワイヤの引張力の方が大きくなりそのため揺動片が先に揺動してしまい揺動後の姿のまま障子が閉じてしまうため揺動片と連動した突起が鉤に直接ぶつかってしまって引っ掛からない不都合なケースが生じること、更にその反対として今度は引張りコイルバネの付勢力を非常に大きくした場合はワイヤ捲取力が大になり、そのため捲取ドラムに捲かれるワイヤが互いに喰い込み合って、開窓時にうまく窓が開かない不都合なケースが生じるということである。本発明はかかる不都合の解決を目的として発明されたものである。
【課題を解決するための手段】
【０００８】
本発明は、窓枠・障子間に設けられた弾機を用いた蹴り出し装置により迅速に障子が開かれ、窓枠および障子に設けられた滑車と連繋するワイヤロープがハンドルによってワイヤロープ巻取機に巻き取られることにより障子が閉鎖され、前記ワイヤロープ巻取機の押しボタンを押すことにより前記ワイヤロープが巻取り解除されて障子が開放される窓開閉装置において、障子の開放側框外周面に、障子滑車と、傾斜部をもつとともに引張りバネを有する首振り係止フックとが設けられ、首振り係止フックは、当該首振り係止フックの引張りバネによって元の位置に戻るように付勢され、この首振り係止フックと対向する枠側位置に、ストッパ付のプレートと、引張りバネと、回動プレートと、回動プレート上に設けられていて回転可能なローラを有するロック軸と、回動プレート上に設けた枠滑車とによって構成される枠滑車ユニットが設けられ、回動プレートは、ストッパ付のプレート上において回動軸を中心に回動するようになっていて、枠滑車ユニットの引張りバネによってストッパから離れる方向に回動するように付勢され、それぞれの滑車間にワイヤロープが張設されてこのワイヤロープ端部がワイヤロープ巻取機に巻き取られることより障子が閉鎖されるように構成され、前記ワイヤロープがワイヤロープ巻取機に巻き取られることにより、枠滑車ユニットの回動プレートが回動してストッパ付のプレートのストッパに当接して停止し、さらにワイヤロープが巻き取られてゆくと首振り係止フックが次第に枠側に近づいて、前記首振り係止フックの傾斜部が前記ロック軸に当接して次第に首振りされ、全閉時に首振り係止フックが当該首振り係止フックの引張りバネによって元の位置に戻って障子はロックされ、前記ワイヤロープ捲取機の押しボタンを押すことにより、ワイヤロープ捲取機でのワイヤロープの巻取りが解除されて前記ワイヤロープが弛み、前記蹴り出し装置の開放力と、枠滑車ユニットの引張りバネによる回動プレートの回動とによって前記首振り係止フックが前記ロック軸からはずれて障子が開放されることを特徴とする窓開閉装置の閉窓ロック装置である。
【０００９】
ここでいう弾機とはバネあるいはステイダンパ、オートヒンジ等を指し、弾性体はコイルバネでもダンパでも常時弾力負荷が掛けられるものであって該当するスペースにはまり込むものであればその他のものであっても構わない。弾性体の取り付け位置によって弾力は引張り力を用いるか圧縮力を用いるかが決定される。
【００１０】
上記の構成はまずワイヤがワイヤ巻取機に巻き取られ各滑車にテンションが掛かることによってまず回動プレートが回動してこの回動プレートに設けられた引張りバネを伸ばしながらプレート上のストッパまで移動し、その後障子が引っ張られて閉じてゆくこととなる。
【００１１】
また、首振り係止フックの首振り方向は支点を中心に鉤部と反対側方向であり、ロック軸を通過後は速やかに元の位置まで復元可能なように引張りバネが付勢され、首振り係止フックの頂部形状はロック軸が当接した際に支点中心に開放容易に回動出来るようにあらかじめ傾斜部が設けられ、またロック軸の表面はローラにより回転する構成になっている。
【００１２】
ここで、ストッパ付のプレート上を更に引張りバネを有し、回動軸を中心に回動する回動プレートが設けられ、この回動プレート上に回転可能なローラを有するロック軸と枠滑車とが設けられてなる構成の要素を１ユニットとし、回動プレートが右回りするものを枠滑車の右ユニットと称し、左回りするものを枠滑車の左ユニットと称し、首振り係止フックの首振り方向もそれぞれに対応するため今後は左ユニットに対応する側の首振り係止フックを左対応首振り係止フックと称し、右ユニットに対応する側の首振り係止フックを右対応首振り係止フックと称する。
【００１３】
また、障子重量や障子の幅や高さによってこれらの組み合わせは種々異なり、例えば障子の幅が狭くて軽量障子であれば障子の開放側框外周の中央部に障子滑車１個を設け、その左右両側に左右対応の首振り係止フックを設けてそれらに対応する枠側の位置に左右のユニットがそれぞれ設けられる構成となるが、障子の幅が広くて重いものであれば軽い障子の際に用いられた構成の関連部品一式を障子の開放側框外周の両側に設けてワイヤを張設する構成となり、また障子の幅が広くてある程度軽いものであれば障子の開放側框外周の両側にそれぞれ障子滑車を設け、その片方側のそれぞれに左右いずれか一方の首振り係止フックを設け、それらに対応する枠側の位置に前記首振り係止フックに対応するユニットがそれぞれ設けられる構成となる。
【発明の効果】
【００１４】
本発明の窓開閉装置の閉窓ロック装置は、全閉時には確実にロック軸と首振り係止フックとが係合されるため、障子に突風、爆風、逆風などの急激な衝撃が直撃してもワイヤには従来通りの負荷が掛かるだけでそれ以外の負荷はロック装置が受け持つためワイヤ破断等の危険性が少なくなって安全性を保つことが出来、開窓操作するだけで自動的にロックがはずれるため迅速な開窓操作が出来るため排煙装置としても使用することが出来る。
【００１５】
また本装置は障子重量や障子幅などによりいろいろな組み合わせが可能であり、ケース・バイ・ケースでの選択が可能である。また本装置は障子窓枠間に設けられた蹴り出し装置により迅速に障子が開かれ、障子および窓枠に設けられた滑車装置と連繋するワイヤがワイヤ捲取機に捲き取られることより障子が閉鎖されるように構成された窓開閉装置であれば開き窓、突き出し窓、平行突き出し窓などの各種窓およびそれと単窓、複窓のいずれの場合にも適応出来て広範囲の用途に使用が可能である。
【発明を実施するための最良の形態】
【００１６】
本発明を図に基づいて説明すると、図１は本発明装置を外倒し窓へ装着した正面図であり、図２は実施例１の各種パーツを装着した際の平面略図、図３は図２の装着図で下から見た図で閉鎖途中における図であり、図４は図３の全閉時における図であり、図５は図２における１組の主要パーツの全開時における関係位置説明図、図６は実施例２の各種パーツを装着した際の平面略図、図７は実施例３の各種パーツを装着した際の平面略図、図８は首振り位置調整ネジ付の首振り係止フックの構成説明図である。
【００１７】
実施例１は障子の幅が小さくて軽量窓に装着する閉窓ロック装置である。まず、実施例１についてその構成を説明する。図１〜５において窓枠・障子間に設けられたダンパ１を用いた蹴り出し装置により迅速に障子２が開かれ、窓枠３および障子２に設けられた諸滑車と連繋するワイヤ４がハンドル５によりワイヤ巻取機６に巻き取られることにより障子２が閉鎖されるように構成され、押しボタン７を押すことで巻取り解除されて開放される窓開閉装置において障子２の開放側框外周面中央にローラ付障子滑車８が設けられその両側に傾斜部９をもち引張りバネ１０を有する首振り係止フック１１が互いに鉤部を外側に向けて設けられ、それぞれの首振り係止フック１１に対向する枠側位置にはそれぞれに対応する枠滑車ユニット１２が設けられ、ワイヤ４の一方端が一方の枠滑車１９の外で固着され、順次それぞれの滑車間にワイヤ４が張設されて、他方端がワイヤ巻取機６に巻き取られることより障子２が閉鎖されるように構成されている窓開閉装置の閉窓ロック装置である。
【００１８】
次に枠滑車ユニット１２の構成を説明すると、図５において枠滑車ユニット１２はストッパ１３付プレート１４上を更に回動軸１５を中心にして回動する回動プレート１６が設けられ、この回動プレート１６がストッパ１３付プレート１４のストッパ１３から離れる方向に回動するように引張りバネ１０が設けられ、この回動プレート１６上に回転可能なローラ１７を有するロック軸１８と枠滑車１９とが設けられてなるものである。
【００１９】
主要部を更に詳しく説明すると全開時ワイヤ４にテンションが掛かっていない場合図５に示すようにロック軸１８の中心は首振り係止フック１１の支点から進行方向（白抜き矢印表示）に向かって垂線を引くと、この垂線より対向する枠滑車１９側と反対方向にあり、図３に示すようにテンションが掛かり、回動プレート１６がストッパ１３に当接して停止した位置におけるロック軸１８の中心は垂線より対向する枠滑車１９側に来るように設計されている。
【００２０】
また首振り係止フック１１の傾斜部９の長さは、図３に示すようにフック先端部から、ワイヤテンションが掛かり回動プレート１６がストッパ１３に当接して停止した位置におけるロック軸１８の中心よりも更に長く対向する枠滑車１９側まで、達していることが必要であり、フック先端部は図５におけるワイヤ４にテンションが掛かっていない時のロック軸１８の中心よりも対向する枠滑車１９側でなければならない。
【００２１】
次に実施例１の閉鎖動作について説明する。図１、図３においてまず、ワイヤ４がハンドル５により巻き取られて障子２が閉鎖されることにより障子滑車８、枠滑車１９にテンションが掛かり、枠滑車ユニット１２の回動プレート１６が回動してストッパ１３付プレート１４のストッパ１３に当接して停止し、ロック軸１８と枠滑車１９はその位置で動作することになる。さらにワイヤ４が巻き取られてゆくと首振り係止フック１１は次第に枠３側に近づいてゆき、やがて回動軸１５上を越えて首振り係止フック１１の傾斜部９がロック軸１８に設けられたローラ１７に当接するとフックは次第に押されて支点を中心に次第に対向する枠滑車１９側に向かって回動してゆき、先端部を通過してさらに障子２が全閉位置に達すると首振り係止フック１１はロック軸１８を乗り越えて引張りバネ１０によって元の位置に戻り、首振り係止フック１１とロック軸１８とにより障子２は枠３側にロックされることになる。
【００２２】
次に実施例１の開放動作について説明する。開放はワイヤ巻取り機６に設けられた押しボタン７を押すことによりワイヤテンションが解除されことになる。ワイヤテンションが解除されると回動プレート１６に設けられた引張りバネ１０によって図５に示すように元の位置に戻る。そのためロック軸１８もまた元の位置に戻る。障子２はダンパ１により開放され、フック先端はワイヤ４にテンションが掛かっていない時のロック軸１８の中心よりも対向する枠滑車１９側にあり、引張りバネの力よりもダンパ１の開放力の方がはるかに大きいためフックはローラ１７を回転させながら外れることになり、一気に障子２は開放されることになる。
【００２３】
実施例２は障子の幅が広くて軽量または中量の窓に装着する閉窓ロック装置である。実施例２の構成を説明すると図１、図６において窓枠・障子間に設けられたダンパ１を用いた蹴り出し装置により迅速に障子２が開かれ、窓枠３および障子２に設けられた滑車と連繋するワイヤ４がハンドル５によりワイヤ巻取機６に巻き取られることにより障子２が閉鎖されるように構成され、押しボタン７を押すことで巻取り解除されて開放される窓開閉装置において障子２の開放側框外周面の両側にローラ付障子滑車８が設けられ、そのローラ付障子滑車８の外側に傾斜部９をもち引張りバネ１０を有する首振り係止フック１１が互いに鉤部を外側に向けて設けられ、それぞれの首振り係止フック１１に対向する枠側位置にそれぞれに対応する枠滑車ユニット１２が設けられ、ワイヤ４の一方端が一方の枠滑車１９の外で固着され、順次それぞれの滑車間にワイヤ４が張設されて、他方端がワイヤ巻取機６に巻き取られることより障子２が閉鎖されるように構成されている窓開閉装置の閉窓ロック装置である。
【００２４】
枠滑車ユニット１２は段落００１８で説明した通りであり、首振り係止フック１１と枠滑車ユニット１２との関係位置は段落００１９〜段落００２０において詳しく述べたとおりである。
【００２５】
次に閉鎖動作について説明すると、まず、ワイヤ４がハンドル５により巻き取られて障子２が閉鎖されることにより障子滑車８、枠滑車１９にテンションが掛かり、テンションが掛かるにつれて順次それぞれの枠滑車ユニット１２の回動プレート１６が回動してストッパ１３付プレート１４のストッパ１３に当接して停止し、ロック軸１８と枠滑車１９はその位置で動作することになる。さらにワイヤ４が巻き取られてゆくと首振り係止フック１１は次第に枠３側に近づいてゆき、やがてそれぞれの回動軸１５上を越えてそれぞれの首振り係止フック１１の傾斜部９がロック軸１８に設けられたローラ１７に当接するとフックは次第に押されて支点を中心に次第に対向するそれぞれの枠滑車１９側に向かって回動してゆき、先端部を通過してさらに障子２が全閉位置に達すると首振り係止フック１１はロック軸１８を乗り越えて引張りバネ１０によって元の位置に戻り、首振り係止フック１１とロック軸１８とが係合されて障子２は枠３側にロックされることになる。結局それぞれの右ユニットに対応する右対応首振り係止フックと左ユニットに対応する左対応首振り係止フックとの関係はローラ付障子滑車８に対し線対称の取付け関係になり、動作もまたローラ付障子滑車８に対し線対称になる。開放動作については押しボタンを押すことで実施例１と同様の動作を行なうため省略する。
【００２６】
実施例３は障子の幅が広くて重量級の窓に装着する閉窓ロック装置である。これは実施例１に設けた構成、即ちローラ付障子滑車１個の両側に左右対応の首振り係止フック１１を１個ずつそれぞれ設け、その左右それぞれの首振り係止フック１１に対向する枠位置に左右の枠滑車ユニットを設けた構成を１グループの単位としてこのグループが障子２の開放側框外周面両端側と対向する枠３下面両側とにそれぞれ設けられ、ワイヤ４の一方端が一方の枠滑車１９の外で固着され、順次それぞれの各滑車間にワイヤ４が張設されて、他方端がワイヤ巻取機６に巻き取られることより障子２が閉鎖されるように構成されている窓開閉装置の閉窓ロック装置である。重量級の窓のためワイヤ４は４本掛けとなる。
【００２７】
次に閉鎖動作について説明すると、まず、ワイヤ４がハンドル５により巻き取られて障子２が閉鎖されることにより障子滑車８、枠滑車１９にテンションが掛かり、テンションが掛った枠滑車ユニット１２の回動プレート１６が順次回動し、すべての回動プレート１６がそれぞれのストッパに当接して初めて障子２が閉じ始める。障子２が動くと障子２に設けられた各パーツは一斉動作を行なう。それぞれの各パーツの動作については実施例１、実施例２と同じであるため省略する。
【００２８】
実施例４は実施例１における首振り係止フック１１の代わりに図８に示す首振り先頭位置調整ネジ２０の設けられた首振り係止フック１１を用いて構成させたものである。この特徴は、本来フック先端部は図５におけるワイヤ４にテンションが掛かっていない時のロック軸１８の中心線上よりも対向する枠滑車１９側でなければならないが、取り付けの際に仮にロック軸１８の中心線上よりも対向する枠滑車１９側と反対側に若干寸法を間違えて設置した場合でも首振り先頭位置調整ネジ２０を回すことによりフックは回動されて所定の設定位置に修正が効くように構成されたものである。これはまた開放動作の際、首振り係止フック１１の鉤部先端がロック軸１８に設けられたローラ１７からはずれにくい場合にもその調整が可能である。動作については実施例１と同様であるため省略する。
【００２９】
この首振り位置調整ネジ２０付の首振り係止フック１１はまた実施例２、実施例３についても同様に用いることが可能である。
【図面の簡単な説明】
【００３０】
【図１】本発明装置を外倒し窓へ装着した正面図
【図２】実施例１の各種パーツを装着した際の平面略図
【図３】図２の装着図で下から見た図で閉鎖途中における説明図
【図４】図３の全閉時における説明図
【図５】図２における１組の主要パーツの全開時における関係位置説明図
【図６】実施例２の各種パーツを装着した際の平面略図
【図７】実施例３の各種パーツを装着した際の平面略図
【図８】首振り位置調整ネジ２０付の首振り係止フック１１の構成説明図
【符号の説明】
【００３１】
１、ダンパ
２、障子
３、枠
４、ワイヤ
５、ハンドル
６、ワイヤ巻取り機
７、押しボタン
８、ローラ付障子滑車
９、傾斜部
１０、引張りバネ
１１、首振り係止フック
１２、枠滑車ユニット
１３、ストッパ
１４、プレート
１５、回動軸
１６、回動プレート
１７、ローラ
１８、ロック軸
１９、枠滑車
２０、首振り先頭位置調整ネジ
【図１】
0005236934.tif 000002
【図２】
0005236934.tif 000003
【図３】
0005236934.tif 000004
【図４】
0005236934.tif 000005
【図５】
0005236934.tif 000006
【図６】
0005236934.tif 000007
【図７】
0005236934.tif 000008
【図８】
0005236934.tif 000009